(57)【特許請求の範囲】
【請求項１】
スパイラル状ガラス管の外周の端部に、一対の口金を有する蛍光灯と、器具本体に設けられ蛍光灯の口金を電気的、及び機械的に接続するソケットとを備えた照明器具において、
前記器具本体の前記ソケットの支持位置には、位置調整用のソケット支持長穴が、前記蛍光灯のワット数によって異なる支持位置を繋ぐ長穴として配設されており、
前記ソケットは、前記位置調整用のソケット支持長穴内をスライド可能に取り付けられるスライド部を有し、前記ソケットは、ワット数の異なる蛍光灯の異なる口金位置に応じて、器具本体に対して設置位置を移動可能に設けられていることを特徴とする照明器具。
【請求項２】
前記ソケットの移動設置後の位置に応じて蛍光灯のワット数に対応する出力を制御する点灯制御部を備えることを特徴とする請求項１記載の照明器具。
【発明の詳細な説明】
【技術分野】
【０００１】
本発明は、蛍光灯を用いた照明装置に関するものである。
【背景技術】
【０００２】
従来、図４に示すように、一連の放電路が略同一面上で二重渦巻状のスパイラル状ガラス管で構成された発光管２０１を備える蛍光灯２００が提案されている。
この蛍光灯２００は両口金タイプであり、二重渦巻形状の両端部には一対の口金２０３がそれぞれ備えられている。このような構成の蛍光灯２００は発光管２０１の管径程度の厚みであり、照明具としては薄い設計を提供することができ、略面発光でもあるので、デザイン上でも、スペース効率的にも、多くの場面に採用可能である（例えば特許文献１参照）。
【０００３】
【特許文献１】特開２００６−１２４８３号公報
【発明の開示】
【発明が解決しようとする課題】
【０００４】
ところで、一般に、蛍光灯はワット数が大きくなるほど、大きさも大きくなり、直管型や円形ではワット数に応じて長さや径の規格がある。図４で示した照明装置においても、ワット数によって一対の口金２０３の距離が変更されることとなる。従って、蛍光灯のワット数が異なれば器具本体も異なる筐体を必要とし、ワット数を変更したい場合などには、照明器具ごと交換するといった効率的でない問題があった。設定とは異なるワット数の蛍光灯を照明器具本体に無理に取り付けた場合、口金位置の違いにより、蛍光灯が破損するなど、異なるワット数での出力制御により、過剰電流が流れて、蛍光灯の著しい寿命低下などの問題がある。
【０００５】
本発明は、従来の問題を解決するためになされたもので、スパイラル状ガラス管で構成された発光管を有する照明装置において、ワット数変更にも効率的かつ安全に対応できる照明装置を提供することを目的とする。
【課題を解決するための手段】
【０００６】
本発明の照明装置は、スパイラル状ガラス管の外周の端部に、一対の口金を有する蛍光灯と、器具本体に設けられ蛍光灯の口金を電気的、及び機械的に接続するソケットとを備えた照明器具において、前記器具本体の前記ソケットの支持位置には、位置調整用のソケット支持長穴が、前記蛍光灯のワット数によって異なる支持位置を繋ぐ長穴として配設されており、前記ソケットは、前記位置調整用のソケット支持長穴内をスライド可能に取り付けられるスライド部を有し、前記ソケットは、ワット数の異なる蛍光灯の異なる口金位置に応じて、器具本体に対して設置位置を移動可能に設けられている構成を有している。
【０００７】
この構成により、器具本体に対してソケットの設置位置を移動可能としたので、一対の口金間の距離が異なる蛍光灯のサイズ変更に対して、ソケット位置移動で対応でき、ワット数の異なる複数サイズの蛍光灯を使用可能とする器具本体、つまり、一台の照明器具本体でワット数の違う複数の蛍光ランプを使用することが可能となる照明装置を提供することかできる。
【０００８】
また、本発明の照明装置は、前記ソケットの移動設置後の位置に応じて蛍光灯のワット数に対応する出力を制御する点灯制御部を備える構成を有している。
【０００９】
この構成により、蛍光灯のワット数によって蛍光灯の寸法が特定される規格である場合に、ソケット位置も同時に決まるので、このソケット位置に従うことで蛍光灯のワット数を特定し、点灯制御装置がソケットの移動設置後の位置に応じて蛍光灯のワット数に対応する出力制御が実施される。従って、蛍光灯に過剰に電流が流れることを防止することができる。
点灯制御装置としては、マルチインバーターを利用することで、ワット数の異なる蛍光灯での出力制御に対応することができる。
【発明の効果】
【００１０】
本発明は、照明装置の本体に対してソケットの設置位置を移動可能としたので、一台の照明器具本体でワット数の違う複数の蛍光ランプを使用することが可能となる。また、点灯制御装置がソケットの移動設置後の位置に応じて蛍光灯のワット数に対応する出力を制御するので、ソケット位置に対応した蛍光灯のワット数を特定して、出力制御が実施され、蛍光灯に過剰に電流が流れることを防止するという効果を有する照明装置を提供することができるものである。
【発明を実施するための最良の形態】
【００１１】
以下、本発明の実施形態の照明装置について、図面を用いて説明する。
図１は本発明に係る実施形態の照明装置を示す分解斜視図、図２は図１の照明装置の蛍光灯５がない状態でのＡ−Ａ線の断面図、図３は蛍光灯の蛍光灯支持ばね位置の部分断面図である。
なお、各図においては、説明の便宜上、照射面を上向きにした状態を示して、説明する。従って、吊下げて照明装置１００を用いる場合には、上下の位置関係が反対となる。
【００１２】
図１に示すように、本発明に係る実施形態の照明装置１００は、略円形薄箱状をなす本体３と蛍光灯５と透明カバー７から構成されている。これらが組み上げられることで照明装置１００となる。
蛍光灯５は、一連の放電路であり略同一面上で二重渦巻形状のスパイラル状発光管２１と、スパイラル状発光管２１の両端部に配置された一対の口金２３と、両方の口金２３もしくはその近傍の発光管２１部分を繋ぐように保持固定して発光管２１の破損を抑制するブリッジ２５とからなる。
【００１３】
ブリッジ２５は発光管２１必須の構成ではないが、これにより、口金１１の配置を安定させるとともに、蛍光灯５の強度を向上させることができる。また、ブリッジ２５上で、口金１１と近接する発光管２１との間、あるいは近接する発光管２１同士の間には、充填剤を設けるのが望ましい。これにより、発光管２１の強度を増すとともに、発熱するランプ口金１１の放熱を図ることができる。
【００１４】
本体３の内部には、蛍光灯５を保持し、白色塗装されて反射板を兼ねえた平板形状のベース１５が備えられている。このベース１５には、蛍光灯５の一対の口金２３と電気的に接続する一対のソケット１１と、ブリッジ２５を支持して蛍光灯５をベース１５に固定する一対の蛍光灯支持ばね１３が備えられる。このベース１５の裏側には、図２で示しているように、蛍光灯５に電力を供給する点灯装置２７とランプ線（図示省略）とを配線する空間が備えられている。
また、透明カバー７は、例えばポリカーボネイト樹脂製で、透光性を有しており、その縁部には引っ掛け爪９が備えられ、この引っ掛け爪９がベース１５に備えられている係合穴１８に係合されて、透明カバー７が本体３に着脱可能に固定される。
【００１５】
このベース１５の各ソケット１１支持位置には、位置調整用のソケット支持長穴１７がワットによって異なる支持位置を繋ぐ長穴として配設されてソケット１１を固定し、更に各蛍光灯支持ばね１３支持位置には、位置調整用の支持ばね支持長穴１９が同じくワットによって異なる支持位置を繋いぐ長穴として配設されて蛍光灯支持ばね１３を固定している。
【００１６】
次に、図２を参照して、ワット数変更に伴う位置調整と出力制御について説明する。
照明装置２００は本体３に蛍光灯５が取り付けられていない状態の断面図であり、ベース１５上のソケット１１の位置は、例えば２０Ｗの蛍光灯の口金２３が取り付けられる位置Ｘ（実線及び一点鎖線により図示）となっている。そして、例えば１５Ｗの蛍光灯の場合は、その口金２３が取り付けられる位置Ｙを点線にて示している。移設のための構成は後に細述するが、蛍光灯支持ばね１３の位置もソケット１１の位置に準ずることとなる。なお、投光側である透明カバー７は図２では上方となっている。
ソケット１１に対してベース１５の裏側には、本体３に内蔵される状態で点灯装置（点灯制御部）２７が備えられている。
【００１７】
ソケット１１のベース１５側基部に固定されたスライド部２９が備えられており、このスライド部２９はベース１５に配設されているソケット支持長穴１７内をスライド可能に取り付けられる。従って、前述のように、ソケット１１は、例えば２０Ｗの蛍光灯が取り付けられる位置Ｘと１５Ｗの蛍光灯が取り付けられる位置Ｙとの間を移設固定可能に保持されることとなる。
工場内で、蛍光灯５のワット数の設定を完了する場合には、ソケット１１と蛍光灯支持ばね１３とを位置Ｘまたは位置Ｙに固定し、設定のワット数を目立つ位置に表示しつつ、そのワット数の蛍光灯５を取り付けて出荷することとなる。
【００１８】
従って、器具本体３に対してソケット１１の設置位置を移動可能としたので、一対の口金２３間の距離が異なる蛍光灯のサイズ変更に対して、ソケット１１の位置移動で対応でき、ワット数の異なる複数サイズの蛍光灯５を使用可能とする器具本体３、つまり、同一構成の本体３を使用して、複数ワット数の蛍光灯に対応させることが可能となる。
なお、本体３の形状としては、図１，２では蛍光灯の形状に対応して円筒形状としているが、これに限定されるものではなく、楕円型、多角形型など、蛍光灯の形状に対応していなくてもよい。
【００１９】
更に、蛍光灯５のワット数によって蛍光灯５の寸法が特定される規格である場合に、ソケット１１位置も同時に決まるので、このソケット１１位置に従うことで蛍光灯５のワット数を特定することができ、点灯装置（点灯制御部）２７において、ソケット１１の移動設置後の位置に応じて蛍光灯のワット数に対応する出力制御を実施することができる。従って、蛍光灯に過剰に電流が流れることを防止することができる。
【００２０】
そして、点灯制御装置としては、マルチインバーターを利用することで、一台のインバーターによりワット数の異なる蛍光灯での出力制御に対応することができる。つまり、蛍光灯５に対してベース１５の裏側に備えられた点灯装置（点灯制御部）２７は複数ワット数に対応できるマルチインバーターを使用することができる。この場合、ソケット１１の位置Ｘ，Ｙによりワット数を特定し、点灯装置２７であるマルチインバーターの出力制御を特定したワット数に従って制御するためのソケット位置設定手段を備えている。このソケット位置設定手段は、マルチインバーターに備えられ、組み立て工程において、設定したワット数を人の手により設定することができる。
【００２１】
ここで、少なくとも片方のソケット１１又は蛍光灯支持ばね１３に位置検出手段を備え、マルチインバーターに接続し、ソケット１１又は蛍光灯支持ばね１３の移設を検出してマルチインバーターが自動的に制御用のワット数を特定することもできる。この位置検出手段としては、ソケット１１又は蛍光灯支持ばね１３、例えば、スライド部２９から点灯装置２７へ伸びる連結棒２８といった構成や、電気的な接続である位置検出センサを利用することも可能である。
【００２２】
次に、図３を参照して、蛍光灯支持ばね１３の移設の構成を説明する。
図３は発光管２１が照明装置１００内で蛍光灯支持ばね１３に支持されている状態の部分断面を示している。そして、蛍光灯支持ばね１３のばね基部１３ｂには固定ビス３３が配置されている。固定ビス３３は発光管２１側から順番にばね基部１３ｂ、次に、ベース１５に備えられている支持ばね支持長穴１９を通されている。更に、固定ビス３３は、支持プレート３１を通して固定ナット３５により固定される。従って、ばね基部１３ｂは支持プレート３１と共にベース１５を挟み、固定ビス３３と固定ナット３５との締め付けにより、蛍光灯支持ばね１３がベース１５に固定されることとなる。
発光管２１はブリッジ２５に保持されており、蛍光灯支持ばね１３のばね支持部１３ａは、このブリッジ２５と押圧当接し、蛍光灯５を本体３内に保持している。蛍光灯５は位置Ｘで固定されている。
【００２３】
ここで、蛍光灯支持ばね１３をソケット１１の位置Ｙに移設する場合、まず、発光管２１を外した状態で、固定ビス３３と固定ナット３５とを外れない程度に緩める。そして、支持プレート３１を移動し、ソケット１１の位置Ｙに対応する位置に固定ビス３３を保持し、固定ビス３３と固定ナット３５とで締め付ける。この時、図３には示していないが、スライド部２９から点灯装置２７へ伸びる連結棒２８が位置検出手段となり、点灯装置２７内の切り換えを実施し、出力制御を対応するワット数に切り換える。なお、支持プレート３１にタップをきることで、固定ナット３５を不要としても良い。
【００２４】
なお、ソケット１１のスライド部２９に蛍光灯支持ばね１３を固定又はこれらを一体とし、支持プレート３１に固定する構成とすることもできる。この場合、支持長穴は１つのみ備えればよいこととなる。
この構成により、支持長穴の製作工程を少なくし、ソケット１１と蛍光灯支持ばね１３との取り付け工程を簡素化でき、更に、ソケット１１と蛍光灯支持ばね１３との位置ズレなどの発生も抑制できる。
【産業上の利用可能性】
【００２５】
以上のように、本発明にかかる照明装置は、器具本体に対してソケットの設置位置を移動可能としたので、一対の口金間の距離が異なる蛍光灯のサイズ変更に対して、ソケットの位置移動で対応でき、ワット数の異なる複数サイズの蛍光灯を使用可能とする同一構成の本体３を使用して、複数ワット数の蛍光灯に対応させることが可能となる照明装置として有用である。しかも、ソケットの移動設置後の位置に応じて蛍光灯のワット数に対応する出力制御を実施することができる。従って、蛍光灯に過剰に電流が流れることを防止することができる。更に、点灯制御装置として、一台のマルチインバーターによりワット数の異なる蛍光灯での出力制御に対応することができる照明装置として有用となる。
【図面の簡単な説明】
【００２６】
【図１】本発明に係る実施形態の照明装置を示す分解斜視図である。
【図２】図１の照明装置の蛍光灯５がない状態でのＡ−Ａ線の断面図である。
【図３】蛍光灯の蛍光灯支持ばね位置の部分断面図である。
【図４】（Ａ）は従来の照明装置を示す平面図、（Ｂ）は従来の照明装置を示す側面図である。
【符号の説明】
【００２７】
１００  照明器具
３  本体
５  蛍光灯
７  透明カバー
１１  ソケット
１３  蛍光灯支持ばね
１５  ベース
１７  ソケット支持長穴
１９  支持ばね支持長穴
２１  発光管
２３  口金
２５  ブリッジ
２７  点灯装置
２８  連結棒
２９  スライド部
３１  支持プレート
【図１】
0004966842.tif 000002
【図２】
0004966842.tif 000003
【図３】
0004966842.tif 000004
【図４】
0004966842.tif 000005